(57)【要約】【課題】  体腔内に挿入され、体内情報を取得する体内情報取得装置において、体腔内の異なる複数の検査目的部位で、ほぼ同時に精度の高い体内情報の検出を行う。【解決手段】  検査目的部位において体腔内の検体を採取する検体採取部４２と、前記検体採取部が採取した前記検体を評価して評価結果を出力する検体評価部５２と、固有の識別情報を有する標識手段と、外部から送信された信号を受信し、前記検体評価部５２が出力した前記評価結果を外部へ送信する通信手段５４と、電力を供給する電力供給部５６とを備える体内情報取得装置４を提供する。【選択図】      図６
2005270461.tif 000002
【特許請求の範囲】
【請求項１】
検査目的部位において体腔内の検体を採取する検体採取部と、前記検体採取部が採取した前記検体を評価して評価結果を出力する検体評価部と、前記体内情報取得装置に固有の識別情報を有する標識手段と、外部から送信された信号を受信し、前記検体評価部が出力した前記評価結果を外部へ送信する通信手段と、電力を供給する電力供給部とを備えることを特徴とする体内情報取得装置。
【請求項２】
前記標識手段が、無線通信を用いて前記識別情報を送信する標識タグであることを特徴とする請求項１に記載の体内情報取得装置。
【請求項３】
前記標識タグが、ＲＦ−ＩＤであることを特徴とする請求項２に記載の体内情報取得装置。
【請求項４】
前記体内情報取得装置が、前記通信手段が外部から送信された前記信号を受信した時に、前記信号を処理し、前記電力供給部が前記検体採取部、前記検体評価部、及び前記標識手段のいずれかに電力供給を開始するように制御する電力供給制御手段を備えることを特徴とする請求項１から請求項３のいずれかに記載の体内情報取得装置。
【請求項５】
前記体内情報取得装置が、体腔内の組織表面に固定する留置部を有することを特徴とする請求項１から請求項４のいずれかに記載の体内情報取得装置。
【請求項６】
前記体内情報取得装置が、生体適合性接着剤を貯留する接着剤容器と、前記生体適合性接着剤を外部に放出する接着剤放出手段とを備えることを特徴とする請求項１から請求項４のいずれかに記載の体内情報取得装置。
【請求項７】
前記電力供給部が、外部からの充電が可能な蓄電部であり、体外からエネルギーを無線伝送することにより前記蓄電部に電力を供給することを特徴とする請求項１から請求項６のいずれかに記載の体内情報取得装置。
【請求項８】
前記蓄電部が電気二重層コンデンサであることを特徴とする請求項７に記載の体内情報取得装置。
【請求項９】
前記検体評価部が、血液の有無を検出する血液センサを有することを特徴とする請求項１から請求項８のいずれかに記載の体内情報取得装置。
【請求項１０】
前記検体評価部が、特定のタンパクを検出するタンパク質センサを有することを特徴とする請求項１から請求項８のいずれかに記載の体内情報取得装置。
【請求項１１】
前記検体評価部が、特定の酵素を検出する酵素センサを有することを特徴とする請求項１から請求項８のいずれかに記載の体内情報取得装置。
【請求項１２】
前記検体評価部が、特定の遺伝子を検出する遺伝子センサを有することを特徴とする請求項１から請求項８のいずれかに記載の体内情報取得装置。
【請求項１３】
前記体内情報取得装置が、体腔内を撮像する撮像手段を有することを特徴とする請求項１から請求項１２のいずれかに記載の体内情報取得装置。
【請求項１４】
請求項１から請求項１３のいずれかに記載の体内情報取得装置と、前記体内情報取得装置を格納する格納部を有すると共に、検査目的部位において前記体内情報取得装置を放出する放出機構を有するカプセル型医療装置と、体外に配置されて前記体内情報取得装置との間で信号の送受信を行う体外アンテナと、前記体内情報取得装置が送信した信号を前記体外アンテナから取得すると共に、前記標識手段が有する識別情報を識別する識別手段を設けた体外装置とを備え、前記体外装置が、複数の前記体内情報取得装置に対して共通の制御信号を送信する体外制御部を備えることを特徴とする体内情報取得装置システム。
【請求項１５】
前記体外制御部が、前記通信手段を制御する通信制御部であることを特徴とする請求項１４に記載の体内情報取得装置システム。
【請求項１６】
前記体外制御部が、前記検体評価部を制御する検体評価制御部であることを特徴とする請求項１４に記載の体内情報取得装置システム。
【発明の詳細な説明】
【技術分野】
【０００１】
本発明は体腔内に挿入され、体内情報を取得する体内情報取得装置及び体内情報取得装置システムに関する。
【背景技術】
【０００２】
被検者（患者）が自分の健康状態を確認する方法として、カプセル型医療装置による検査方法が知られている。この方法では、被検者がカプセル状に形成された医療装置を飲み込み、医療装置が体腔内の血液又は消化器疾患等の検査を非侵襲で行う。これにより、容易に健康状態の検査を行なえるようになっている。このようなカプセル型医療装置は、例えば、特開平５−２０００１５号公報に開示されている。特開平５−２０００１５号公報には、カプセル本体内に体液を吸引する吸引通路と、カプセル本体内に吸引した体液を採取する体液採取手段と、採取された体液を検査する体液検査手段と、体液検査手段からの検査結果を体外に送信する送信手段を備えた医療用カプセル装置が開示されている。
【０００３】
この医療用カプセル装置（以下、カプセルと略す）は、体腔内の検査目的部位まで移動（推進）させて、検査時にマイクロポンプを駆動することにより、吸引通路を介して体液をカプセル内に吸引し、体液中に含まれる血液の有無の検出を血液センサを用いて行っている。この血液センサと吸引通路は、検査時以外ではカプセル内に貯留される生理食塩水が供給される状態になっている。これにより、カプセルが体腔内の所定の検査目的部位に到達する前に、検査目的部位以外の体液が血液センサによって検査されることを防止して、複数の検査目的部位での検査において体内情報の検出精度を高めている。
【特許文献１】特開平５−２０００１５号公報
【発明の開示】
【発明が解決しようとする課題】
【０００４】
しかしながら、前記カプセルでは、カプセルを推進させることにより異なる検査目的部位において体内情報を検出する構成となっていたため、異なる検査目的部位での検査のたびに、生理食塩水を供給してカプセル内に設けられた体液の通過経路全てを洗浄する必要があった。また、体腔内の異なる複数の検査目的部位において、ほぼ同時に検査を行うことができなかった。このため、複数の検査目的部位を同時に検査するには複数のカプセルを体内に挿入する必要があった。
【０００５】
本発明は、上述した点に鑑みてなされたもので、体腔内の異なる複数の検査目的部位においてほぼ同時に精度の高い体内情報の検出ができる体内情報取得装置、及び複数の体内情報取得装置を一度に患者に導入することが可能な体内情報取得装置システムを提供することを目的とする。
【課題を解決するための手段】
【０００６】
上記目的を達成するために、本発明は以下の手段を提供する。
本発明は、検査目的部位において体腔内の検体を採取する検体採取部と、前記検体採取部が採取した前記検体を評価して評価結果を出力する検体評価部と、固有の識別情報を有する標識手段と、外部から送信された信号を受信し、前記検体評価部が出力した前記評価結果を外部へ送信する通信手段と、電力を供給する電力供給部とを備える体内情報取得装置を提供する。
【０００７】
上記の構成によれば、体腔内に導入された体内情報取得装置が体液等の検体を評価し、出力された体内情報を、通信手段を介して体外に送信することが可能となる。このとき、体内情報取得装置が標識手段を備えているので、体腔内に導入された複数の体内情報取得装置から送信された評価結果を、体外において識別することができる。また、体腔内に導入された複数の体内情報取得装置に対して、体外から通信手段を介して同時に反応を開始させる信号を送信することが可能となる。
【０００８】
上記発明の体内情報取得装置においては、前記標識手段が、無線通信を用いて前記識別情報を送信する標識タグであることが好ましい。
上記の構成によれば、体外から体内に向けて電磁波を照射し、照射された体内情報取得装置に設けられた標識タグから発せられた信号を体外で受信することにより、体外において複数の体内情報取得装置を非接触でほぼ同時に識別することが可能となる。
【０００９】
さらに、上記発明の体内情報取得装置においては、前記標識タグが、ＲＦ−ＩＤであることが好ましい。
ＲＦ−ＩＤは、複数の対象物に固有の識別コード等の各種情報の保存と、該情報を送信する機能とを有し、電磁波を用いることにより複数の対象物を非接触で一度に識別可能にするタグ状媒体である。ＲＦ−ＩＤを用いることにより、体内情報取得装置から体外への体内情報の送信等における通信制御の処理を簡易にすることが可能となる。
【００１０】
また、上記発明の体内情報取得装置においては、前記体内情報取得装置が、前記通信手段が外部から送信された前記信号を受信した時に、前記信号を処理し、前記電力供給部が前記検体採取部、前記検体評価部、及び前記標識手段のいずれかに電力供給を開始するように制御する電力供給制御手段を備えることが好ましい。
上記の構成によれば、必要な時にのみ外部から信号を送信することで体内情報取得装置の各構成に電力供給を行えるので、電力供給部の容量を小さくすることができ、体内情報取得装置を小型化することが可能となる。
【００１１】
また、上記発明の体内情報取得装置においては、前記体内情報取得装置が、体腔内の組織表面に固定する留置部を有することが好ましい。
上記の構成によれば、体内情報取得装置を長時間にわたり体腔内に留置させることができ、所望の時間に所定の位置における体内情報を取得することが可能となる。
【００１２】
また、上記発明の体内情報取得装置においては、前記体内情報取得装置が、生体適合性接着剤を貯留する接着剤容器と、前記生体適合性接着剤を外部に放出する接着剤放出手段とを備えることが好ましい。
上記の構成によれば、体内情報取得装置が生体適合性接着剤を外部に放出することにより、体内情報取得装置の外表面と体腔内の組織表面とを長時間にわたり密着させることができ、体腔内の所望の位置における体内情報を取得することが可能となる。
【００１３】
また、上記発明の体内情報取得装置においては、前記電力供給部が、前記体内情報取得装置の外部からの充電が可能な蓄電部であり、体外からエネルギーを無線伝送することにより前記蓄電部に電力を供給することが好ましい。
上記の構成によれば、必要に応じて体内情報取得装置の外部から蓄電部に電力を供給することにより、電力供給部を小型化することが可能となる。
【００１４】
さらに、上記発明の体内情報取得装置においては、前記蓄電部が電気二重層コンデンサであることが好ましい。
電気二重層コンデンサを体内情報取得装置の蓄電部として用いることにより、蓄電部を小型化することができる。
【００１５】
上記発明の体内情報取得装置においては、前記検体評価部が、血液の有無を検出する血液センサ、特定のタンパクを検出するタンパク質センサ、特定の酵素を検出する酵素センサ、特定の遺伝子を検出する遺伝子センサのいずれかを有することが好ましい。
上記の構成によれば、体液等の検体が血液を含む場合、検体評価部が体液中の血液の有無や血液の濃度等を評価し、この評価結果を出力することができる。同様にして、体液中に酵素、タンパク質、又は遺伝子が含まれる場合、検体評価部が体液等の検体中からこれらの検査目的物質を検出することが可能となる。
【００１６】
また、上記発明の体内情報取得装置においては、前記体内情報取得装置が体腔内を撮像する撮像手段を有することが好ましい。
上記の構成によれば、体内情報取得装置の放出された部位における体腔内の画像を取得することができる。
【００１７】
また、本発明は、請求項１から請求項１３のいずれかに記載の体内情報取得装置と、前記体内情報取得装置を格納する格納部を有すると共に、検査目的部位において前記体内情報取得装置を放出する放出機構を有するカプセル型医療装置と、体外に配置されて前記体内情報取得装置との間で信号の送受信を行う体外アンテナと、前記体内情報取得装置が送信した信号を前記体外アンテナから取得すると共に、前記標識手段が有する識別情報を識別する識別手段を設けた体外装置とを備え、前記体外装置が、複数の前記体内情報取得装置に対して共通の制御信号を送信する体外制御部を備えることを特徴とする体内情報取得装置システムを提供する。
【００１８】
上記の構成によれば、体内情報取得装置をカプセル型医療装置に格納することにより、体腔内に導入してから所望の検査目的部位に達するまで、体内情報取得装置を搬送することが可能となる。また、体内情報取得装置が送信した評価結果を、体外アンテナを用いて受信することにより、体外において該評価結果を体内情報として取得することが可能となる。さらに、体内情報取得装置に設けられた標識手段から発せられた識別情報を体外装置で取得して、これら複数の識別情報を識別手段を用いて識別することにより、複数の体内情報取得装置から送信された評価結果の発信元を、非接触で特定することが可能となる。
また、体外装置に備えられた体外制御部が、体腔内の複数の体内情報取得装置に対して共通の制御信号を送信することにより、体外制御部が一度に複数の体内情報取得装置を制御することが可能となる。
【００１９】
また、上記発明の体内情報取得装置システムにおいては、前記体外制御部が、前記通信手段を制御する通信制御部であることが好ましい。
上記の構成によれば、体外装置に備えられた通信制御部が、体腔内の複数の体内情報取得装置に対して、通信手段を制御する共通の制御信号を送信することにより、通信制御部が一度に複数の通信手段を制御して、評価結果及び識別情報を体外へ送信させることが可能となる。
【００２０】
また、上記発明の体内情報取得装置システムにおいては、前記体外制御部が、前記検体評価部を制御する検体評価制御部であることが好ましい。
上記の構成によれば、体外装置に備えられた検体評価制御部が、体腔内の複数の体内情報取得装置に対して、検体評価部を制御する共通の制御信号を送信することにより、検体評価制御部が一度に複数の検体評価部を制御して、検体の評価をほぼ同時に開始させることが可能となる。
【発明の効果】
【００２１】
本発明の体内情報取得装置及び体内情報取得装置システムによれば、被検体内の体内情報を検出可能な体内情報取得装置を体腔内に複数導入させることにより、複数の部位における消化器疾患等の体内情報を高精度に検出して取得することが可能となる。
【発明を実施するための最良の形態】
【００２２】
【第１の実施形態】
【００２３】
以下、本発明の第１の実施形態に係る体内情報取得装置システムについて、図１から図９の図面を参照して説明する。
体内情報取得装置システム１は、図１に示すように、カプセル型医療装置３と、検出セル４（体内情報取得装置）と、体外アンテナ５及び体外装置６を有している。
ここで、カプセル型医療装置３は、複数の検出セル４を格納して患者２の体腔内に挿入される。そして、このカプセル型医療装置３は、該検出セル４を検査目的部位まで搬送して、体腔内へ放出する。また、検出セル４（体内情報取得装置）は、体腔内の検査目的部位において体内情報を取得し、得られた情報を体外へ送信する。体外アンテナ５は、検出セル４を制御する信号の送信、及び検出セル４により取得した体内情報等の信号の受信を行う。また、体外装置６は、患者２の体外に配置され、体外アンテナ５を介して検出セル４の制御、及び取得した体内情報の記録等を行う。
【００２４】
カプセル型医療装置３は、図２に示すように、カプセル状に形成された筐体１１を有し、該筐体１１の内部には、格納容器１２、放出手段１３、制御基板１４、タイマー１５、及び電池１６を有している。
ここで、格納容器１２は、一端が開口した構造を有し、複数の検出セル４を一列に整列させて格納している。また、放出手段１３は、検出セル４を格納容器１２の開口側から順次外部へ放出する機構を有している。制御基板１４は、カプセル型医療装置３の内部の各構成に対して電気的な制御処理等を行う、図示しない制御回路を有している。タイマー１５は、筐体１１の一端（左側）に配置されて、放出手段１３により各検出セル４を放出する際の時間を計測している。電池１６は、タイマー１５と制御基板１４との間に配置されて、カプセル型医療装置３の内部の電気系に動作用の電力を供給している。
【００２５】
図２に示すように、格納容器１２は、その開口した一方の端部に、内部が中空で大きな径を有するカム容器１７を接続している。該カム容器１７には、格納容器１２に格納されている検出セル４を、筐体１１の外周面の略中央に位置した放出口１８を介して外部へ押圧する放出装置１９が設けられている。この放出装置１９は、放出手段１３を構成しているものである。また、格納容器１２の他方の端部２０には、検出セル４を該カム容器１７の方向に押圧する弾性部材２１が設けられている。
【００２６】
放出装置１９は、カム容器１７の内部に配置された略円盤状のカム２４と、制御基板１４上に固定されたモーター２５と、カム容器１７の壁面に取り付けられた変速機２６とを有している。ここで、カム２４は、切欠部２２及び突出部２３を備え、カム容器１７内部で該検出セル４（４ａ、４ｂ、…）を放出口１８側に一つずつ送り出すように機能する。また、モーター２５は制御基板１４からの制御信号により動作制御され、カム２４を回転させる。変速機２６は、カム２４とモーター２５との間に接続されて、該カム２４の回転速度を制御する。また、変速機２６は、フレキシブル基板２７を介して制御基板１４に電気的に接続されることにより、制御基板１４からの制御信号により回転速度が動作制御されるようになっている。
【００２７】
カム容器１７の中空な内部は、カム２４の外径寸法と略同一の内径寸法を有する略円柱状の空間が形成されている。また、カム容器１７の内部において、カム２４の切欠部２２及び突出部２３と対向する平面の内、格納容器１２と放出口１８との間には放出溝２８が形成されている。この放出溝２８は、検出セル４を外部へ放出する際に、該検出セル４を放出口１８へ案内するものである。なお、格納容器１２とカム容器１７とは偏心するようになっているため、格納容器１２の開口が筐体１１の放出口１８側に近くなっている。従って、検出セル４を外部へ放出する際の検出セル４の移動量が少なくなっている。
【００２８】
図３（Ａ）〜（Ｃ）は、放出装置１９近傍の拡大断面を示す図であり、図３（Ａ）、（Ｂ）はカプセル型医療装置３の長手方向の断面図であり、図３（Ｃ）は図２のカプセル型医療装置３のＡ−Ａ’において切断した断面図である。また、図４（Ａ）〜（Ｃ）は、格納容器１２の側から見たときのカム２４の正面図と、該カム２４により検出セル４を放出するときのカム２４の回転動作を示す説明図である。
【００２９】
図３（Ａ）、（Ｃ）に示すように、カム２４を回転させて突出部２３を放出溝２８に対向させたとき、突出部２３の上面と放出溝２８の底面との間隔Ｄは、検出セル４の厚さｔより小さくなるように設定されている。また、放出溝２８の両側面間の幅Ｗは、検出セル４の外形寸法よりわずかに大きくなるよう設定されている。また、放出口１８は、放出溝２８の幅Ｗと等しい幅を有している。そして、この放出口１８には、筐体１１内への体液の流入を阻止し、放出された検出セル４の逆入を防ぐ逆止弁２９が設けられている。この逆止弁２９は、検出セル４が放出されるときには筐体１１の外側に向けて開口し、検出セル４の放出後には閉口する１対の弾性膜状部材からなっている。
【００３０】
突出部２３を放出溝２８に対向させたときは、図３（Ａ）に示すように、検出セル４ａは突出部２３の上面により止められて、放出溝２８に移動することができないように設定されているので、格納容器１２に留まっている。また、切欠部２２を放出溝２８と対向させたときは、図３（Ｂ）に示すように、切欠部２２の上面と放出溝２８の底面との間隔が、検出セル４の厚さｔよりわずかに大きくなるよう設定されている。よって、検出セル４ａは、弾性部材２１の押圧により切欠部２２内に移動し、さらに放出溝２８に移動することが可能となっている。
【００３１】
また、図４に示すように、カム２４の突出部２３と切欠部２２の境界で形成されるカム面３０の形状は、緩やかなＳ字状の曲線になっている。図４（Ａ）は、突出部２３が放出溝２８に対向したときに、検出セル４ａは格納容器内に留まっている状態を示す。図４（Ｂ）は切欠部２２が放出溝２８と対向したときに、検出セル４ａが切欠部２２に導かれた状態を示す。図４（Ｃ）は、カム面３０が検出セル４ａを放出口１８の方向へ押圧している状態を示す。この状態は、図４（Ｂ）の状態において、カム２４を回転させることで実現できる。
【００３２】
すなわち、検出セル４を格納容器１２に格納している通常の状態では、突出部２３を放出溝２８に対向させ、検出セル４が放出溝２８に移動することを防いでいる。一方、検出セル４を格納容器１２から放出口１８を介して外部へ放出する際には、モーター２５を駆動してカム２４を回転させることにより、切欠部２２を放出溝２８と対向させる。そして、検出セル４を切欠部２２に導き、カム面３０が切欠部２２に収められた検出セル４ａを押圧して放出口１８に押し出している。
【００３３】
検出セル４ａを放出口１８から放出した直後の状態では、カム２４の突出部２３の一部が放出溝２８に対向しているため、次に放出される検出セル４ｂは格納容器１２内に留まっている。この検出セル４ｂは、カム２４が一回転した後、弾性部材２１の押圧によりカム２４の切欠部２２に導かれる。そして、切欠部２２に導かれた検出セル４ｂは、検出セル４ａの放出と同様の動作により放出口２８に押し出される。上述の一連の動作により、複数の検出セル４は、格納容器１２から外部に一つずつ放出される。
【００３４】
電池１６は、図２に示すように、例えばボタン型の２つの電池であり、カプセル型医療装置３の内蔵電源として用いられている。これら電池１６は、筐体１１の軸方向に積層するようにして配置され、電源基板３１に電気的に接続されている。電源基板３１は、フレキシブル基板３３ａを介して制御基板１４に接続されているので、電池１６の動作電力が各構成内の回路に供給されるようになっている。また、電源基板３１には、電池１６から供給される動作電力のオンオフを行うように、例えばバイアス磁石とリードスイッチとから形成される内部スイッチ３２が設けられている。
【００３５】
タイマ１５は、フレキシブル基板３３ｂを介して制御基板１４に接続されたタイマ基板３５に固定されている。該タイマ１５は、制御基板１４からの制御信号により時間の計測動作を開始し、時間情報をフレキシブル基板３３ｂを介して制御基板１４に送るようになっている。
【００３６】
また、制御基板１４にはメモリ３４が固定されている。メモリ３４には、放出装置１９を動作させるための予め設定された時刻が記憶されており、タイマ１５から送られた時間情報を含む信号とともに、所定の時間においてモーター２５及び変速機２６に、動作信号を制御基板１４を介して送ることができるようになっている。
【００３７】
すなわち、制御基板１４には、フレキシブル基板３３ａ、３３ｂ、及び各構成の回路が電気的に接続されている。そして、制御基板１４を介して、電池１６から電源基板３１を介した動作電力の供給や、モーター２５、変速機２６、及びメモリ３４等の構成への制御が可能となっている。また、メモリ３４とタイマ１５とを組合わせて用いることにより、所定の時間において必要な個数の検出セル４を筐体１１の内部から外部に向けて放出することが可能となっている。
【００３８】
図５は、検出セル４の外観を示した図であり、図５（Ａ）は、検出セル４の斜視図、図５（Ｂ）、（Ｃ）は、検出セル４の正面図である。なお、図５（Ｂ）は、検出セル４を体腔内に留置する前の状態を示し、図５（Ｃ）は、検出セル４を体腔内に留置した状態を示す。
検出セル４は、図５（Ａ）に示すように、ポリサルフォンやポリウレタンなどの合成樹脂製のセル外装４１で内部を密閉するように形成されている。このセル外装４１は、例えば直径が３ｍｍ、厚さが０．５ｍｍの小型の円盤形状であるため、カプセル型医療装置３の格納容器１２内に複数個格納することができるようになっている。セル外装４１の表面には体液等の検体を内部に取り込むように略矩形に形成された採取口（検体採取部）４２と、該採取口４２をセル外装４１の内側から塞ぐように設けられたシャッタ４３とを有している。セル外装４１の周縁部４４は、丸みを帯びた形状になっているため、カプセル型医療装置３からの放出がスムーズに行われるようになっている。
【００３９】
また、セル外装４１の側面には、図５（Ｂ）、（Ｃ）に示すように、板バネ（留置部）４５ａ、４５ｂが取り付けられている。この板バネ４５ａ、４５ｂの一端４６ａ、４６ｂは、セル外装４１の側面において互いに隣接するように、接着剤等で固定されている。また、板バネ４５ａ、４５ｂを覆うように、オブラート等の水溶性可撓膜４７が設けられている。水溶性可撓膜４７は、板バネ４５ａ、４５ｂの他端４８ａ、４８ｂと接着剤で密着されている。なお、図５（Ａ）では、見易くするために留置部を省略している。
【００４０】
検出セル４がカプセル型医療装置３の格納容器１２に格納されている時は、板バネ４５ａ、４５ｂが水溶性可撓膜４７により検出セル４の側面に固定された状態になっている。検出セル４がカプセル型医療装置３から体腔内に放出されると、板バネ４５ａ、４５ｂを固定していた水溶性可撓膜４７が体腔内の体液により溶け出す。このとき、図５（Ｃ）に示すように、板バネ４５ａ、４５ｂがそれ自身の弾力により体腔の内壁を挟むようになっている。なお、上記の構成では水溶性可撓膜４７としてオブラートを用いることとしたが、水分を含む液体に速やかに溶ける材質のものであれば適宜使用可能である。また、板バネ４５ａ、４５ｂに代えて、弾力を有する部材を適宜使用しても構わない。
【００４１】
図６は、検出セル４の各部分での断面図を示した図であり、図６（Ａ）は検出セル４の一断面を示した図、図６（Ｂ）は図６（Ａ）の検出セル４のＡ−Ａ’において切断した断面図、図６（Ｃ）は図６（Ａ）の検出セル４のＢ−Ｂ’において切断した断面図である。なお、図６（Ａ）は、図６（Ｂ）のＣ−Ｃ’において切断した断面図に相当する。
検出セル４は、図６に示すように、円盤状のセル外装４１を有し、該セル外装４１の内部には、反応部５１と、反応検出部（検体評価部）５２と、信号処理基板５３と、セル内アンテナ（通信手段）５４と、メモリ５５と、電源（電力供給部）５６とを有している。
【００４２】
ここで、反応部５１は、体腔内から採取された体液等の検体を他の物質と反応させる反応槽５７等からなっている。また、反応検出部５２は、反応部５１の近傍に配置されて該反応部５１での検体の反応結果を検出する。信号処理基板５３は、検出セル４内の各構成に対する制御処理と反応検出部５２からの反応結果の処理等を行う信号処理回路を有する。セル内アンテナ５４は、信号処理基板５３の下方側に配置されて、体外アンテナ５との間で、検出セル４の制御信号及び体内情報等の信号の送受信を行う。メモリ５５は、信号処理基板５３の下面側に取り付けられて、反応検出部５２において取得された体内情報、体外装置６による検査時の反応条件等の設定情報、及び複数の検出セルそれぞれに固有の識別コード（標識手段）を記憶する。電源５６は、信号処理基板５３の上面側に取り付けられて、検出セル４内部の電気系に動作用の電力を供給する。
【００４３】
反応部５１は、図６に示すように、反応槽５７と、吸引通路５８と、試薬容器５９と、マイクロポンプ６１とを有している。ここで、反応槽５７は、吸引通路５８により採取口４２と接続され、採取口４２から採取した体液等の検体を他の物質と反応させる。試薬容器５９は、採取した検体に含まれる腫瘍マーカや血液成分等の抗原と特異的に反応する抗体、又は標識となる試薬を貯留する。マイクロポンプ６１は、該試薬容器５９から抗体又は試薬（以下、単に抗体等と略記）を試薬供給路６０を介して反応槽５７へ吸引する。
【００４４】
反応槽５７はポリカーボネート、シクロオレフィンポリマー、ＰＭＭＡ（ポリメタクリル酸メチル）などの光透過性の優れた合成樹脂で形成されている。反応槽５７の内部は、体腔に対して負圧の状態にしてあり、シャッタ４３を開くと同時に体液等の検体が採取口４２から反応槽５７に流れ込むようになっている。
【００４５】
シャッタ４３の一端は、例えばイオン伝導性アクチュエータ６２の一方の端６３に接続され、他方の端６４は駆動基板６５に固定されている。イオン伝導性アクチュエータ６２は、電圧を付加すると歪みが生じる性質を有するため、他方の端６４をセル外装４１に固定して電圧を付加することにより、該一方の端６３に接続されたシャッタ４３をスライドさせることができる。また、マイクロポンプ６１は、駆動用フレキシブル基板６６により信号処理基板５３に接続された駆動基板６５に固定されている。すなわち、マイクロポンプ６１及びイオン伝導性アクチュエータ６２は、信号処理基板５３から駆動基板６５に送られる制御信号により動作されるようになっている。
【００４６】
採取した検体と抗体等との反応を開始する際には、イオン伝導性アクチュエータ６２に電圧を付加してシャッタ４３を開き、採取口４２から体腔内の体液等の検体を反応槽５７に導入した後、駆動基板６５の駆動回路からの制御信号によりマイクロポンプ６１を動作させ、試薬容器５９に貯留された抗体等を反応槽５７へ吸引するようにしている。
【００４７】
反応検出部５２は、図６に示すように、反応槽５７を挟んだ状態で信号処理基板５３上に設けられた照明素子６７と受光素子６８とから構成されている。照明素子６７は、例えば白色ＬＥＤであり、反応槽５７の一方の面６９に対向するように配設され、反応槽５７に照明光を照射している。また、受光素子６８は、例えばＰＩＮフォトダイオードであり、照明素子６７の光軸上で反応槽５７の他方の面７０に対向するように配置され、反応槽５７を透過した光を検出するようにしている。また、照明素子６７には、照明素子６７の発光部を間欠的にフラッシュ発光させるように駆動する図示しないＬＥＤ駆動回路が電気的に接続されている。
【００４８】
採取した検体と抗体等との反応開始前において、照明素子６７は予め反応槽５７に体液等の検体がない状態で照明光を反応槽５７に照射する。そして、反応槽５７を透過した光は参照光として受光素子６８で受光される。受光素子６８で受光された参照光は、その光強度に応じた電流信号に変換され、信号処理基板５３に送られてメモリ５５に一時的に記憶される。このメモリ５５に記憶された参照光のデータは、参照データとして用いられるものである。
【００４９】
次に、反応槽５７における検体と抗体等との反応中又は反応後において、照明素子６７は照明光を反応物質で満たされた反応槽５７に再び照射する。そして、反応槽５７を透過した光は測定光として受光素子６８で受光される。受光素子６８において取得された測定光は、前述したように光強度に応じた電流信号に変換されて信号処理基板５３に送られ、測定データとしてメモリ５５に記憶される。メモリ５５に記憶された測定データ及び参照データは、信号処理基板５３の信号処理回路において差分演算等の演算処理に用いられる。この演算処理によって出力された評価結果は、検査データとしてメモリ５５に再び記憶されるようになっている。
【００５０】
セル内アンテナ５４は、通信基板７１に電気的に接続されている。通信基板７１には、このセル内アンテナ５４で受信した体外アンテナ５からの電磁波を選択的に抽出し、検波等を行って体外装置６からの制御信号を復調して各構成内の回路等へ出力する通信回路が設けられている。また、該通信回路は、検査データや識別コード等の信号を所定の周波数の搬送波で変調し、セル内アンテナ５４から体内情報として体外アンテナ５へ電磁波を発信する機能を有している。
【００５１】
メモリ５５は、測定データ及び参照データを記憶する機能の他に、複数の検出セルそれぞれに固有の識別コードを保存する機能、及びセル内アンテナ５４から体外に信号を送信する際の制御を行う通信プロトコルを記憶する機能を有する。また、メモリ５５には、信号処理基板５３の信号処理回路において、測定データ及び参照データ等に対して演算処理を行う際の計算プログラムを保存する機能を有する。
【００５２】
電源５６は、図６に示すように、例えば蓄電池７２であり、検出セル４内部の電気系に動作用の電力を供給している。この蓄電池７２は、切換スイッチ７３を介して信号処理基板５３に接続されているので、蓄電池７２の動作電力は信号処理基板５３を介して、各構成内の回路に供給されるようになっている。また、切換スイッチ７３と通信基板７１との間には、蓄電池７２と信号処理基板５３と通信基板７１との間において信号の伝送が行えるように、通信用フレキシブル基板７４が接続されている。例えば、体外アンテナ５から体内に向けて照射した電磁波をセル内アンテナ５４で受信し、受信により得られた電気信号を通信用フレキシブル基板７４を介して蓄電池７２に伝送することで、蓄電池７２の充電を行うことが可能である。各構成内の回路への電力供給とセル内アンテナ５４を介した充電との切り換えは、切換スイッチ７３により行なっている。
【００５３】
信号処理基板５３は、セル外装４１の内面に設けられた複数本の支柱７５により固定され、駆動用フレキシブル基板６６、メモリ５５等の各構成内の回路が電気的に接続されている。この信号処理基板５３は、電源５６から駆動用フレキシブル基板６６を介した駆動基板６５への動作電力の供給や、検出セル４内の各構成に対する制御、及び取得したデータの処理を行う機能を有する。例えば、前述のように、受光素子６８において取得した測定データ及び参照データのメモリ５５への保存、及びメモリ５５に記憶されたこれらのデータの読み出し、演算処理等が信号処理基板５３において行われる。また、信号処理基板５３は、セル内アンテナ５４を介して体外アンテナ５との間で信号を送受信する際の指示を行う制御機能を有している。
【００５４】
患者２の体外に配置される体外アンテナ５は、図１に示すように、円環状部材８１の内部に、ループ状に巻回されたコイル（図示省略）と、該コイルの端部が接続されたコンデンサ（図示省略）とを有している。円環状部材８１には、手で持つ等により体外の任意の位置に体外アンテナ５を配置できるように、柄部８２が接続されている。円環状部材８１の寸法は特に制限されるものではないが、円環状部材８１の外径が、患者２の体幅とほぼ同等であることが好ましい。こうすることで、体外アンテナ５を頻繁に動かすことなく、体内の各部に留置された検出セル４から確実に体内情報を取り出せるようになる。
【００５５】
また、柄部８２には、体外アンテナ５のオンオフを行うスイッチ８３が設けられ、ＵＳＢケーブル等の通信を行う通信ケーブル８４が着脱自在に接続されている。この体外アンテナ５は、検出セル４から送信された電磁波を受信して、通信ケーブル８４を介して体外装置６に検査データ及び識別コード等の信号を転送する機能と、体外装置６から送られた制御信号を電磁波に変換して検出セル４に送信する機能とを有している。
【００５６】
体外装置６は、例えば図１に示すように、パーソナルコンピュータ（以下、パソコンと略記）８５であり、このパソコン８５には、体外アンテナ５から転送された検査データを保存するための、図示しないハードディスクが内蔵されている。パソコン８５には、該ハードディスクに保存された検査データを、検査中或いは検査終了後に表示する表示部８６と、データ入力操作等を行う操作盤としての例えばキーボード８７が接続されている。
パソコン８５の内部には、複数の検出セル４がそれぞれ体外に送信した識別コードを識別する識別手段を有している。この識別手段は、体外アンテナ５が受信した該識別コードを解析することにより、複数の検出セル４を非接触で短時間に識別している。また、パソコン８５は、複数の検出セル４に対して共通の制御信号を送信する体外制御部（不図示）を有している。
【００５７】
体外装置６が複数の検出セル４から検査データを読み出す際は、図７に示すように、患者２又は医師等が体外アンテナ５を検査目的部位近傍の体外に配置し、体外アンテナ５から体内の広い範囲に向けて電磁波を用いて体内情報を読み出す指示信号を照射する。電磁波の照射領域に存在する複数の検出セル４は、該指示信号をそれぞれセル内アンテナ５４で受信し、通信基板７１を介して信号処理基板５３に電気信号として送る。このとき、信号処理基板５３は、メモリ５５に記憶されている検査データを読み出し、通信プロトコルに従って通信基板７１に送る。そして、通信基板７１に送られた検査データは、セル内アンテナ５４から電磁波として体外に送信される。
【００５８】
体外では、体外アンテナ５が、体腔内の検出セル４から送信された検査データの信号を受信する。そして、体外装置６は、体外アンテナ５から転送された検査データを、パソコン８５のハードディスクに保存するようにしている。
また、カプセル型医療装置３の患者２への導入前には、カプセル型医療装置３のタイマ１５に設定された検出セル４の放出時間のデータが、体外装置６を構成するパソコン８５のハードディスクに保存されるようにしている。
【００５９】
次に本実施形態の作用を説明する。
カプセル型医療装置３が、タイマ１５の時間情報を基にメモリ３４に設定された時間に達したと判断すると、制御基板１４からの制御信号により、放出装置１９が検出セル４を格納容器１２から体腔に向けて放出する。このとき、前述したように放出装置１９を構成するカム２４の構造により、検出セル４をひとつずつ放出しているため、体腔内の検出対象物質や検査目的部位に応じて、放出する検出セル４の個数を調節することができる。例えば、小腸疾患を主に検査する場合は、小腸内では検出セル４を多く放出し、大腸等の他の部位では少なく放出する、又は放出しない等の調節が可能である。また、これに限らず全ての検査目的部位において、それぞれ同数の検出セル４を放出してもよい。
【００６０】
体腔内の検査目的部位に放出された検出セル４は、シャッタ４３を閉じた状態で板バネ５１ａ、５１ｂにより体腔内の内壁に固定される。そして、体外装置６は体内に向けて、参照データの取得を指示する第１の信号を体外アンテナ５を介して送信する。このとき、体腔内の異なる箇所に複数留置された検出セル４は、それぞれセル内アンテナ５４により該第１の信号を受信する。そして、検出セル４はそれぞれ照明素子６７から反応槽５７に照明光を一定時間照射し、反応槽５７を透過した参照光を受光素子６８で受光して、得られた結果を参照データとしてメモリ５５に記憶させる。
【００６１】
次いで、体外装置６が体内に向けて、採取する検体と抗体等との反応開始を指示する第２の信号を体外アンテナ５を介して送信する。体腔内の異なる箇所に複数留置された検出セル４は、それぞれセル内アンテナ５４により該第２の信号を受信する。該第２の信号は、体腔内に放出された全ての検出セル４が認識可能なようになっている。検出セル４は、該第２の信号を受信すると、信号処理基板５３からの制御信号によりシャッタ４３を開け、反応槽５７に体液等の検体を導入させる。そして、該検出セル４は、反応槽５７が検体で満たされるとシャッタ４３を閉じ、試薬容器５９から反応槽５７へ抗体を吸引させて、検体と該抗体等とを混合して抗原抗体反応を行う。
【００６２】
反応中又は反応後において、体外装置６は体外アンテナ５を介して体内に向けて、該抗原抗体反応における反応結果の検出を指示する第３の信号を送信する。検出セル４は該第３の信号を受信すると、照明素子６７から反応槽５７に照明光を再び照射し、反応槽５７を透過した測定光を受光素子６８で受光して、得られた結果を測定データとしてメモリ５５に記憶させる。メモリ５５に記憶された参照データ及び測定データは、信号処理基板５３の信号処理回路により演算処理に用いられる。この演算処理によって出力された評価結果は、検査データとして再びメモリ５５に記憶される。
【００６３】
上述の抗原抗体反応において、反応部５１及び反応検出部５２が有する機能としては、血液成分抗体を用いて検体中に含まれる血液を検出する血液センサとしての機能、又は食道癌マーカ抗体、胃がんマーカ抗体、大腸癌マーカ抗体等を備えた腫瘍センサとしての機能等が挙げられる。
ここで、血液成分抗体としては、例えば抗ヒトヘモグロビン・マウスモノクローナル抗体を金コロイド粒子に結合させた抗結合コロイド、又はクロモゲン等が挙げられる。該抗結合コロイドは赤紫色を呈しており、検体中のヒトヘモグロビンと反応して凝集することにより、薄い赤紫色又は灰色に変色する。また、食道癌マーカとしては、ＳＣＣ、シフラ等が挙げられる。また、胃癌マーカとしては、ＣＥＡ、ＣＡ７２−４、ＣＡ１９−９、ＳＴＮ等が挙げられる。
【００６４】
また、抗原の検出時に試薬を用いる場合には、抗体に加えて予め標識となる試薬を試薬容器５９に封入することとしてもよい。この場合には、反応中又は反応後に試薬容器５９から標識となる試薬を吸引し、抗体と検体中の抗原により生成した抗原抗体複合体に該試薬を混合するようにしている。
【００６５】
すなわち、これらの抗体等は検体との反応開始時において試薬容器５９から反応槽５７へ導入され、反応槽５７において検体中の抗原と反応することにより、光透過率の変化、又は発色、変色、発光、蛍光等の光学的変化を生じさせている。そして、該光学的変化を受光素子６８を用いて測定することにより、出血又は腫瘍等の有無が検出される。例えば、光透過率の変化を検出する場合、検出セル４は受光素子６８により参照光と測定光を検出し、それぞれの光強度の情報を有する参照データと測定データとを信号処理基板５３に送る。そして、検出セル４が、これらのデータを信号処理基板５３の信号処理回路において比較することにより、反応前の光強度に対する反応後の光の減衰量を算出すればよい。
なお、抗原抗体反応において発光を伴うものにおいては、照明素子６７を用いて照明光を照射せずに、発光を受光素子６８により検出することとしても良い。
【００６６】
体腔内の複数箇所全ての検出セル４が、上述した一連の反応検出過程を終えて、評価結果が検査データとしてメモリ５５に記憶されると、体外装置６から体内に向けて識別コードの読み出しを指示する指示信号、すなわち第４の信号が送られる。該第４の信号は、体腔内に放出された全ての検出セル４が認識可能なようになっている。体腔内の複数の検出セル４は該第４の信号を受信すると、メモリ５５に記憶した識別コードをセル内アンテナ５４を介して体外に送信する。この識別コードは情報量が小さいので、体腔内の全ての検出セル４が同時に識別コードを送信しても、体外装置６の識別手段は全ての識別コードを短時間で識別することができるようになっている。
【００６７】
体外装置６が全ての識別コードを識別して、体腔内に存在する検出セル４の個数を把握すると、体外装置６は全ての検出セル４に対して、検査データの送信を指示する第５の信号を順次送信する。検出セル４は該第５の信号を受信すると、メモリ５５に記憶した検査データを、通信プロトコルに従って体外に向けて送信する。このとき、通信プロトコルにより、複数の検出セル４が一つずつ、順次に検査データを送信するようになっている。送信された検査データ及び識別コードは体外アンテナ５により受信され、体外装置６に転送された後、パソコン８５においてデータの処理及び保存等が行われる。体内の各部における体内情報を表示する場合には、保存した検査データ等を表示部８６により表示するようにしている。
【００６８】
なお、前記第１、第２、及び第３の信号の送信は、体外装置６に設けられた検体評価制御部（不図示）により行われる。また、前記第４の信号の送信は、体外装置６に設けられた通信制御部（不図示）により行われる。
さらに、上述した一連の反応検出過程において、必要があれば体外装置６が体外アンテナ５を介して電磁波（エネルギー）を体内に向けて送信することにより、検出セル４内の蓄電池７２に充電できるようになっている。
【００６９】
以上説明したように、本実施形態に係る体内情報取得装置システム１によれば、検出セル４をカプセル型医療装置３に複数個格納して体腔内に搬送することにより、複数の検査目的部位において検出セル４を必要な個数放出して体腔内に留置させることができる。体腔内に留置された検出セル４は、反応開始の信号を受信してからシャッタ４３を開いて検体を反応槽５７の内部へ導入するため、反応開始時までは検査目的部位以外からの異物が反応槽５７に付着することを防ぐことができる。その結果、体腔内の複数の部位において、体液等の検体に含まれる血液（ヘモグロビン）、腫瘍マーカ等の検出を高精度に行えるようになり、信頼性の高い体内情報を提供することができる。
また、検出セル４を複数種類に分け、それぞれに異なる抗体を封入して、これら複数種類の検出セル４を連続的に体腔内に放出することにより、同一の検査目的部位において、検体に含まれる検出対象となる複数種類の物質や抗原を検出することが可能である。
【００７０】
また、該第２及び第４の信号は、体腔内に放出された全ての検出セル４が認識可能なようになっているため、体外装置６からの一度の制御により、複数の検出セル４がそれぞれほぼ同時に検体の反応開始及び識別コードの送信を行うことができる。この結果、ほぼ同時刻に複数の検査目的部位において、体腔内の検体と抗体等との反応を開始させることが可能である。
【００７１】
さらに、検出セル４全てにおいて、固有の識別コードがメモリ５５に記憶され、検出セル４全てが識別コード等の各種情報を送信するセル内アンテナ５４を有しているため、体腔内の複数箇所に散在している検出セル４を非接触で一度に識別できる。この結果、カプセル型医療装置３が格納した検出セル４の個数の情報がなくても、体腔内に放出された通信可能な検出セル４の個数を、短時間で特定することができる。
また、メモリ５５に記憶された通信プロトコルに従って、検出セル４が体外アンテナ５へ検査データを送信するようにしているので、複数のデータの混信を防ぐことができる。
【００７２】
また、体外装置６には、カプセル型医療装置３のタイマ１５に設定された検出セル４の放出時間のデータと、検出セル４が有する識別コードとが保存されるので、該放出の時間と識別コードとを対応づけることにより、検出セル４それぞれの体腔内における位置を推定することができる。この結果、検出セル４が送信した検査データと、検出セル４の推定位置とを対応させることにより、体腔内において出血又は腫瘍の存在が確認された部位を特定しやすくなるので、診断性能を向上させることができる。
【００７３】
本実施形態においては、検出セル４の反応部５１において、マイクロポンプ６１の動作により試薬容器５９に貯留された抗体等を反応槽５７へ吸引する構成としたが、これに限られるものではなく、図８に示すように、弾性試薬容器９１と、マイクロアクチュエータ９２を有する構成としても良い。ここで、弾性試薬容器９１は拡張及び収縮可能であり、試薬容器５９の代わりに抗体等を貯留する。マイクロアクチュエータ９２は駆動基板６５に接続され、信号処理基板５３からの制御信号により該弾性試薬容器９１を押圧する。また、反応槽５７と弾性試薬容器９１との間には、仕切り弁９３が設けられている。この仕切り弁９３は、ある一定以上の圧力が加わったときにのみ開き、弾性試薬容器９１と反応槽５７との間で抗体等の流体が移動できるようになっている。
【００７４】
ここでは、マイクロアクチュエータ９２の一例として、図８に示すように、セル外装４１の内側の凹形状の取付部９４に設けられたソレノイド型アクチュエータを用いるようにしている。ソレノイド型アクチュエータは、中央部分に略円筒状の押圧部材９５を有し、該押圧部材９５の外周部分にはコイル９６が巻回されている。また、セル外装４１の内側の取付部９４には、永久磁石９７が設けられている。該ソレノイド型アクチュエータは、信号処理基板５３からコイル９６に電流を流すことにより、押圧部材９５が反応槽５７に対して接近離間する方向（図中における左右方向）に移動されるようにしている。
【００７５】
この構成において、検出セル４は、検体と抗体等との反応開始時に反応槽５７に体液等の検体を導入させてシャッタ４３を閉じた後、制御信号によりマイクロアクチュエータ９２を駆動する。このとき、マイクロアクチュエータ９２が弾性試薬容器９１を押圧して、弾性試薬容器９１に貯留された抗体等を反応槽５７へ流入させることにより、検体と該抗体等とを混合して抗原抗体反応が行われるようになっている。
【００７６】
こうすることで、反応槽５７へ抗体等を導入させる機構を簡素にし、複雑な構造を減らすことで検出セル４を小型化することができる。
なお、この図においては、マイクロアクチュエータ９２を簡略化して示しているが、その構成は適宜選択が可能である。すなわち、図８のようにソレノイド型のアクチュエータとしてもよいし、一般的な直流モータや交流モータとしてもよく、また、リニアモータや圧電型モータとしてもよい。
【００７７】
また、本実施形態においては、板バネ４５ａ、４５ｂを留置部として用いたが、これに代えて、セル外装４１の採取口４２の裏面に相当する底面１０１近傍に留置部１０２を設ける構成にしてもよい。
留置部１０２は、図９（Ａ）、（Ｂ）に示すように、電磁石１０３、磁石１０４、及び屈伸可能な２本のアーム１０５ａ、１０５ｂを有している。ここで、電磁石１０３は、セル外装４１の底面１０１の近傍の略中央部分に設けられ、前記信号処理基板５３に電気的に接続されたコイルを有している。また、磁石１０４は略矩形の形状を有し、電磁石１０３に対して隙間を空けて対向するように配置されている。この磁石１０４の両端には、それぞれアーム１０５ａ、１０５ｂの一端が取り付けられている。また、該アーム１０５ａ、１０５ｂの他端は、それぞれセル外装４１の底面１０１に設けられたアーム取付部１０６ａ、１０６ｂに固定されている。
【００７８】
電磁石１０３は、磁石１０４に対して磁気的な引力又は反発力を作用させるようになっている。また、磁石１０４は２本のアーム１０５ａ、１０５ｂの屈伸により、電磁石１０３と近接離間する方向に移動することが可能である。信号処理基板５３は、電磁石１０３のコイルを流れる電流の向きを反転させる等して、該コイルが生成する磁界の向きを制御している。すなわち、信号処理基板５３が電磁石１０３の磁界を制御することにより、磁石１０４が２本のアーム１０５ａ、１０５ｂの屈伸と共に、電磁石１０３に対して近接離間する方向へ移動するようになっている。これにより、検出セル４は、２本のアーム１０５ａ、１０５ｂの内部に生じた空間に体腔の内壁を挟むことができるようになっている。
【００７９】
検出セル４がカプセル型医療装置３の格納容器１２内に格納されている時は、図９（Ａ）のように、アーム１０５ａ、１０５ｂが折りたたまれている。そして、検出セル４がカプセル型医療装置３から体腔内に放出されると、図９（Ｂ）に示すように、検出セル４は電磁石１０３を制御して磁石１０４に反発力を作用させる。このとき、アーム１０５ａ、１０５ｂが伸展するので、２本のアーム１０５ａ、１０５ｂの内部に生じた空間に体腔の内壁が導入される。次いで、検出セル４は、電磁石１０３を制御して磁石１０４に引力を作用させて、アーム１０５ａ、１０５ｂを再び折りたたむ。これにより、該体腔の内壁がアーム１０５ａ、１０５ｂにより挟まれることになる。
【００８０】
上記の留置部１０２を用いる構成によれば、検出セル４は、信号処理基板５３の制御により体腔内への留置を能動的に行うことが可能となる。
また、図９（Ａ）において、アーム１０５ａ、１０５ｂがセル外装４１の底面１０１外部で折りたたまれる状態を示したが、これに限られず、該底面１０１にアーム１０５ａ、１０５ｂを収納する溝を設けても良い。この溝は、例えばアーム１０５ａ、１０５ｂが折りたたまれた状態において、底面１０１とアーム１０５ａ、１０５ｂの最外面とが略同一平面上に並ぶような深さを有する。これにより、カプセル型医療装置３から検出セル４が体腔内へ放出される際の動作が、スムーズに行われるようになる。さらに、留置部１０２は、上記の構成に代えて、アーム１０５ａ、１０５ｂが底面１０１に対して平行な方向に屈伸するとしても構わない。
【第２の実施形態】
【００８１】
次に、本発明の第２の実施形態に係る体内情報取得装置システムについて、特に検出セル１１０に関して、図１０（Ａ）〜（Ｃ）を参照して説明する。なお、第２の実施形態において、第１の実施形態と同一の構成要素については、同一の符号を付してその説明を省略する。また、説明の都合上、一部の構成を図１、図５及び図９を参照して説明する。
【００８２】
本実施形態に係る検出セル１１０は、反応槽に代えて、体液等の検体を抗体等と反応させる反応面（以下、単に反応面と記す）が形成されたフィルム１１２を備え、セル内アンテナに代えてＲＦ−ＩＤ１１４を備えている点で、第１の実施形態に係る検出セル４と相違している。
【００８３】
図１０は、本発明の第２の実施形態に係る検出セル１１０の構成を示した図である。図１０（Ａ）は、検出セル１１０の一表面図、図１０（Ｂ）は、図１０（Ａ）の検出セル１１０のＡ−Ａ’において切断した断面図、図１０（Ｃ）は、図１０（Ａ）の検出セル１１０のＢ−Ｂ’において切断した断面図である。
検出セル１１０は、円盤状のセル外装１１１を有し、該セル外装１１１の内部には、フィルム１１２と、反応検出部（検体評価部）１１３と、信号処理基板５３と、メモリ５５と、ＲＦ−ＩＤ（標識手段、通信手段）１１４と、コンデンサ（電力供給部）１１５とを有している。
【００８４】
ここで、フィルム１１２は、体腔内から採取した体液等の検体に含まれる検出対象物質の反応検出に用いられる反応面が形成されている。また、反応検出部１１３は、フィルム１１２の近傍に配置されて該フィルム１１２における検体の反応結果を検出する。信号処理基板５３は、検出セル１１０内の各構成に対する制御処理と反応検出部１１３からの反応結果の処理等を行う信号処理回路を有する。メモリ５５は、反応検出部１１３において取得された体内情報、及び体外装置６による検査時の反応条件等の設定情報を記憶する。ＲＦ−ＩＤ１１４は、信号処理基板５３の下方側に配置されて、体外アンテナ５との間で、検出セル１１０の制御信号及び体内情報等の信号の送受信を行い、複数の検出セルに対し固有の識別コードを保存する機能を有する。コンデンサ１１５は、信号処理基板５３の上面側に取り付けられて、検出セル１１０内部の電気系に動作用の電力を供給する。
【００８５】
セル外装１１１は、図５に示した板バネ５１ａ、５１ｂ、又は図９に示したアーム１０５ａ、１０５ｂ等の留置部を有している。また、セル外装１１１の表面には、図１０に示すように、体液等の検体を内部に取り込むよう略矩形に形成された開口１１５（検体採取部）が設けられ、該開口１１５をセル外装１１１の内側から塞ぐように２枚の両開きのシャッタ４３ａ、４３ｂが取り付けられている。該シャッタ４３ａ、４３ｂは、それぞれ駆動基板６５ａ、６５ｂに接続されたリニアアクチュエータ１１６ａ、１１６ｂにより開閉の駆動がなされるようになっている。駆動基板６５ａ、６５ｂは、それぞれ駆動用フレキシブル基板６６ａ、６６ｂにより信号処理基板５３に接続されている。
【００８６】
シャッタ４３ａ、４３ｂの内側には、検体中の検出対象物質の反応検出に用いられる反応面が形成された略矩形のフィルム１１２が配置されている。該反応面は数種類の層を形成しており、例えばフィルム１１２側から順に、検出対象物質と特異的に反応する試薬又はプローブ等（以下、単に試薬等と記す）が乾燥状態で保存された試薬層１１７と、検体を濾過する多孔性部材等を有する濾過層１１８とを配置している。また、フィルム１１２の両端縁は保持部材１１９により支持されて、信号処理基板５３から隙間を開けて固定されている。
【００８７】
検出セル１１０における反応検出部１１３は、信号処理基板５３上にフィルム１１２側に向けて離隔して設けられた１対の照明素子１２０と受光素子１２１とにより構成されている。この照明素子１２０は、例えばＤＦＢ（Distributed Feedback）レーザ等の波長可変光源であり、フィルム１１２に照明光を照射する。受光素子１２１は、例えばＰＩＮフォトダイオードであり、フィルム１１２により散乱又は反射した光を検出する。照明素子１２０の光軸は、フィルム１１２に対して略直交するように設定され、受光素子１２１の光軸は、フィルム１１２に対して斜めになるよう設定されている。また、照明素子１２０には、照明素子１２０の発光部を間欠的にフラッシュ発光させるように駆動する図示しない光源駆動回路が電気的に接続されている。
【００８８】
ＲＦ−ＩＤ１１４は、体腔内の複数箇所に散在された検出セル１１０を識別する標識タグとして用いられている。ＲＦ−ＩＤ１１４は、複数の検出セル１１０に固有の識別コードを保存して、電磁波を用いることにより複数の検出セル１１０を非接触で一度に識別可能にするタグ状媒体であり、図１０（Ｂ）、（Ｃ）に示すように、セル外装１１１の外表面近傍に埋め込まれている。このＲＦ−ＩＤ１１４の内部には、固有の識別コード及び通信プロトコルを記憶させた図示しない標識回路とメモリとを有するチップ１２２と、体外アンテナ５との間で検出セル１１０の制御信号及び体内情報等の信号を送受信する小型アンテナ１２３とを有している。また、ＲＦ−ＩＤ１１４は通信用フレキシブル基板７４と切換スイッチ７３を介して、コンデンサ１１５と信号処理基板５３に接続されている。これにより、ＲＦ−ＩＤ１１４内のチップ１２２及び小型アンテナ１２３が、コンデンサ１１５及び信号処理基板５３と電気的に接続されるようになっている。
【００８９】
ＲＦ−ＩＤ１１４には、この小型アンテナ１２３で受信した体外アンテナ５からの電磁波を選択的に抽出し、検波等を行って体外装置６からの制御信号を復調して各構成内の回路等へ出力する通信回路が設けられている。また、該通信回路は各構成内の回路等からの、例えば検査データや識別コードの信号を所定の周波数の搬送波で変調し、小型アンテナ１２３から体内情報として体外アンテナ５へ電磁波を発信する機能を有している。ここで、該通信回路は、チップ１２２内のメモリに予め記憶された通信プロトコルを用いて、複数の検出セル１１０からの検査データの送信を制御している。
【００９０】
複数の検出セル１１０から検査データを読み出す際は、体外アンテナ５から体内の広い範囲に向けて電磁波を用いて体内情報を読み出す指示信号を照射する。電磁波の照射領域に存在する複数の検出セル１１０は、それぞれ小型アンテナ１２３で該指示信号を受信する。小型アンテナ１２３で受信した指示信号は、ＲＦ−ＩＤ１１４の通信回路を介してチップ１２２に電気信号として送られる。このとき、ＲＦ−ＩＤ１１４は、チップ１２２内のメモリに記憶されている識別コード及び検査データを読み出し、通信プロトコルに従って小型アンテナ１２３に送る。そして、識別コード及び検査データは小型アンテナ１２３から電磁波として体外に送信されるようになっている。体外では、体外アンテナ５と体外装置６を用いて、複数の小型アンテナ１２３から送信された識別コードを読み出して解析することにより、複数の検出セル１１０を非接触で短時間に識別している。
【００９１】
コンデンサ１１５は、検出セル１１０内部の電気系に動作用の電力を供給する電源として用いられている。該コンデンサ１１５は、図１０に示すように、切換スイッチ７３を介して信号処理基板５３に接続されているので、コンデンサ１１５の動作電力は信号処理基板５３を介して、各構成内の回路に供給されるようになっている。また、切換スイッチ７３とＲＦ−ＩＤ１１４との間には、コンデンサ１１５と信号処理基板５３とＲＦ−ＩＤ１１４との間において信号の伝送が行えるように、通信用フレキシブル基板７４が接続されている。例えば、体外アンテナ５から体内に向けて照射した電磁波をＲＦ−ＩＤ１１４で受信し、受信により得られた電気信号を通信用フレキシブル基板７４を介してコンデンサ１１５に伝送することで、コンデンサ１１５の充電を行うことが可能である。各構成内の回路への電力供給とＲＦ−ＩＤ１１４を介した充電の切り替えは、切換スイッチ７３により行なっている。
コンデンサ１１５としては、例えば電気二重層コンデンサが用いられる。この電気二重層コンデンサは小型で電気容量の大きいコンデンサであり、電力供給量を減らすことなくコンデンサ１１５を小型化することができる。
【００９２】
次に本実施形態の作用を説明する。
カプセル型医療装置３により体腔内の検査目的部位に放出された検出セル１１０は、シャッタ４３ａ、４３ｂを閉じた状態で、板バネ５１ａ、５１ｂ、又はアーム１０５ａ、１０５ｂ等の留置部により体腔内の内壁に固定される。そして、体外装置６は体内に向けて、参照データの取得を指示する第１の信号を体外アンテナ５を介して送信する。このとき、体腔内の異なる箇所に複数留置された検出セル１１０は、それぞれＲＦ−ＩＤ１１４により該第１の信号を受信する。そして、検出セル１１０はそれぞれ照明素子１２０からフィルム１１２に照明光を一定時間照射し、フィルム１１２において反射又は散乱してきた参照光を受光素子１２１で受光して、得られた結果を参照データとしてメモリ５５に記憶させる。
【００９３】
次いで、体外装置６が体内に向けて、採取する検体と抗体等との反応開始を指示する第２の信号をＲＦ−ＩＤ１１４を介して送信する。体腔内の異なる箇所に複数留置された検出セル１１０は、それぞれＲＦ−ＩＤ１１４により該第２の信号を受信する。該第２の信号は、体腔内に放出された全ての検出セル１１０が認識可能なようになっている。検出セル１１０は、該第２の信号を受信すると、信号処理基板５３からの制御信号によりシャッタ４３ａ、４３ｂを開け、フィルム１１２に体液等の検体を導入させる。そして、該検出セル１１０は、フィルム１１２の試薬層１１７に保存された試薬等と接触させて検出反応を行う。
【００９４】
反応中又は反応後において、体外装置６はＲＦ−ＩＤ１１４を介して体内に向けて該抗原抗体反応の検出を指示する第３の信号を送信する。検出セル１１０は該第３の信号を受信すると、照明素子１２０からフィルム１１２に照明光を再び照射し、フィルム１１２において反射又は散乱してきた測定光を受光素子１２１で受光して、得られた結果を測定データとしてメモリ５５に記憶させる。メモリ５５に記憶された参照データ及び測定データは、信号処理基板５３の信号処理回路により演算処理に用いられる。この演算処理によって出力された評価結果は、ＲＦ−ＩＤ１１４に実装されたチップ１２２内のメモリに検査データとして記憶される。
【００９５】
上述の検出反応において、フィルム１１２が有する機能としては、特定のタンパク質を検出するタンパク質センサとしての機能、特定の酵素を検出する酵素センサとしての機能、又は特定のＤＮＡを識別するＤＮＡセンサとしての機能等が挙げられる。
タンパク質を検出する場合は、試薬層１１７に特定のタンパク質と反応して光学的変化を生じる試薬を乾燥状態で保存し、該試薬層１１７において検体中のタンパク質と接触させることにより、該光学的変化を受光素子１２１で検出している。特に、酵素を検出する場合は、特定の酵素と特異的に結合する受容体（レセプター）を用いて、検体中の酵素と結合させればよい。そして、フィルム１１２に照明素子１２０から照明光を照射すると、酵素の重量が増加してブラウン運動が緩やかになるため、酵素の運動による散乱光の周波数、位相等の変調の度合いが変化する。この散乱光の変調を、受容体の結合前及び結合後において受光素子１２１で測定し、散乱光の変調の変化を算出することにより、酵素を検出している。
【００９６】
ＤＮＡの識別を行う場合は、試薬層１１７に蛍光色素で標識した固体状のＤＮＡプローブを保存している。検体中に検出対象となるＤＮＡが存在すると、検体が試薬層１１７と接触した際に、該ＤＮＡプローブと検出対象のＤＮＡとが結合して蛍光を発するので、受光素子１２１において蛍光を測定することにより、ＤＮＡを検出している。ＤＮＡプローブは一種類のみ試薬層１１７に保存されるとしても良いが、試薬層１１７をアレイ状に形成し、それぞれの区画に異なるＤＮＡプローブを保存するとしても良い。こうすることで、１回の測定で多種類のＤＮＡの検出を行うことができる。
また、フィルム１１２に対して、上記のＤＮＡセンサと同様に、核酸、又はＲＮＡを識別する機能を持たせることもできる。
【００９７】
体腔内の複数箇所全ての検出セル１１０が、上述した一連の反応検出過程を終えて、評価結果がＲＦ−ＩＤ１１４に実装されたチップ１２２内のメモリに検査データとして記憶されると、体外装置６から体内に向けて識別コードの読み出しを指示する指示信号、すなわち第４の信号が送られる。該第４の信号は、体腔内に放出された全ての検出セル１１０が認識可能なようになっている。体腔内の複数の検出セル１１０は該第４の信号を受信すると、該チップ１２２内のメモリに記憶した識別コードをＲＦ−ＩＤ１１４を介して体外に送信する。この識別コードは情報量が小さいので、体腔内の全ての検出セル４が同時に識別コードを送信しても、体外装置６は全ての識別コードを認識することができる。
【００９８】
体外装置６が全ての識別コードを認識して、体腔内に存在する検出セル１１０の個数を把握すると、体外装置６は全ての検出セル１１０に対して、検査データの送信を指示する第５の信号を順次送信する。検出セル１１０は該第５の信号を受信すると、該チップ１２２内のメモリに記憶した検査データを、通信プロトコルに従って体外に向けて送信する。このとき、通信プロトコルにより、複数の検出セル１１０が一つずつ、順次に検査データを送信するようになっている。送信された検査データ及び識別コードは体外アンテナ５により受信され、体外装置６に転送された後、パソコン８５においてデータの処理及び保存等が行われる。
なお、上述した一連の反応検出過程において、必要があれば体外装置６が体外アンテナ５を介して電磁波（エネルギー）を体内に向けて送信することにより、検出セル１１０内のコンデンサ１１５に充電できるようになっている。
【００９９】
このように構成された本実施形態に係る体内情報取得装置システムによれば、検体に含まれる抗原と反応させる抗体が乾燥状態で保存された反応面を有するフィルム１１２を用いることにより、複雑な機構を必要とすることなく抗原抗体反応を行うことができる。その結果、検出セル１１０を小型化することができるようになり、カプセル型医療装置３により多くの検出セルを格納することが可能である。さらに、フィルム１１２が開口１１５に近接した位置に配置されているので、検体が粘性の高い流体であっても確実にフィルム１１２に検体を導入させ、検出反応を行うことができる。
【０１００】
また、検出セル１１０全てにおいて、固有の識別コードがＲＦ−ＩＤ１１４のチップ１２２に記憶され、検出セル１１０全てが識別コード等の各種情報を送信する小型アンテナ１２３を有しているため、体腔内の複数箇所に散在している検出セル１１０を非接触で一度に識別できる。この結果、カプセル型医療装置３が格納した検出セル１１０の個数の情報がなくても、体腔内に放出された通信可能な検出セル１１０の個数を、短時間で特定することができる。また、検査データ及び通信プロトコルがチップ１２２に保存されるようにしているので、検出セル１１０から体外への検査データの送信は全てＲＦ−ＩＤ１１４において制御可能で、通信制御の処理を簡易にすることができる。さらに、ＲＦ−ＩＤ１１４は既存の識別タグであるため、安価で小型の検出セルを提供することができる。
【０１０１】
本実施形態においては、図１１に示すように検出セル１１０内に撮像手段１３１を備えて、体腔内の画像を取得することとしても良い。すなわち、セル外装１１１の表面一部に設けた撮像用開口１３２に透明カバー１３３を水密的に接続固定し、その密閉した検出セル１１０の内部で該透明カバー１３３に対向する位置に、体腔内を照明する照明素子を有する一対の照明光学系１３４と、対物レンズ等により構成される結像光学系１３５とを設けている。また、信号処理基板５３には撮像ユニット１３６が設けられ、該撮像ユニット１３６が有する撮像素子が結像光学系１３５の結像面に位置するように配置されている。該撮像素子は、例えばＣＭＯＳ（ Complementary Metal-Oxide Semiconductor ）イメージャであり、ＣＭＯＳイメージャは信号処理基板５３と電気的に接続されている。すなわち、信号処理基板５３は、照明素子の駆動制御と、ＣＭＯＳイメージャから出力される撮像信号に対する信号処理及び制御処理とを行っている。
これにより、検体からの検査目的物質の検出の他に、体腔内の画像情報を取得することができるので、より詳細に体内情報を提供することができ、より精度の高い診断を行うことができる。
【０１０２】
また、本実施形態においては、照明素子１２０としてＤＦＢレーザ等の波長可変光源を用いたが、これに代えて、例えばＲ（赤色）、Ｇ（緑色）、Ｂ（青色）の３色を順次発光する狭帯域光源ユニットを用いても良い。
【０１０３】
また、検出セル１１０を体腔内に留置する手段として、板バネ４５ａ、４５ｂ、又はアーム１０５ａ、１０５ｂを用いる構成に代えて、生体適合性接着剤（以下、単に接着剤と記す）を用いる構成としても良い。この場合、図１２に示すように、セル外装１１１の開口１１５の裏面に相当する底面１４１の外部に、水溶性の可撓性部材からなる接着剤容器１４２を取り付け、該接着剤容器１４２の内部に接着剤を貯留するようにしている。
検出セル１１０がカプセル型医療装置３から体腔内に放出されると、接着剤容器１４２が体腔内の体液により溶け出し、接着剤容器１４２に貯留された接着剤が流出する。このとき、セル外装１１１の底面１４１と体腔内の組織表面との間に該接着剤が介在することにより、検出セル１１０を体腔内に留置させることができるようになっている。
【０１０４】
上記の構成では、セル外装１１１の外部に接着剤容器１４２を備えることとしたが、これに限らず、セル外装１１１の底面１４１近傍の内部に、接着剤を貯留する容器を備えることとしても良い。この場合、該容器に貯留された接着剤をアクチュエータ等により検出セル１１０の外部に放出する。このとき、セル外装１１１の底面１４１と体腔内の組織表面との間に接着剤が介在することにより、検出セル１１０を体腔内に留置させることができる。
【０１０５】
なお、本発明は、以上述べた実施形態のみに限定されるものではなく、発明の要旨を逸脱しない範囲において上述した各実施形態を部分的に組み合わせる等して種々変形実施が可能である。例えば、第１の実施形態において撮像手段を有する構成としても良く、タンパク質、酵素、ＤＮＡを検査目的物質として、これらに特異的に反応する試薬又はプローブを用いることとしても良い。また、第２の実施形態において、血液成分抗体、腫瘍マーカ抗体等を用いて血液（ヘモグロビン）、腫瘍マーカ等の検出を行っても良い。
なお、食道癌マーカとしては、ＳＣＣ、シフラ等、胃癌マーカとしては、ＣＥＡ、ＣＡ７２−４、ＣＡ１９−９、ＳＴＮを使用できるが、これらの腫瘍マーカに限らず、ＡＦＰ、ＣＡ１２５、ＮＣＣ−ＳＴ−４３９、ＤｕＰａｎ−２等を用いることとしてもよい。
【図面の簡単な説明】
【０１０６】
【図１】本発明の第１の実施形態に係る体内情報取得装置システムの全体構成を示す    概略図。
【図２】図１の体内情報取得装置システムにおけるカプセル型医療装置の内部構成を    示す図。
【図３】図２のカプセル型医療装置の放出装置を示す側面図。
【図４】検出セルの放出時におけるカムの動作を示す正面図。
【図５】図１の体内情報取得装置システムにおける検出セルの外観を示す概略図。
【図６】図５の検出セルの内部構成を示す図。
【図７】複数の検出セルから体内情報を読み出す状態を示す図。
【図８】図６の検出セルの変形例に係る検出セルの内部構成を示す図。
【図９】図５の検出セルの変形例に係る留置部を示す図。
【図１０】本発明の第２の実施形態に係る検出セルの内部構成を示す図。
【図１１】図１０の検出セルの変形例に係る検出セルの内部構成を示す図。
【図１２】図１０の検出セルの変形例に係る留置部を示す図。
【符号の説明】
【０１０７】
１…体内情報取得装置システム
２…患者
３…カプセル型医療装置
４、１１０…検出セル（体内情報取得装置）
５…体外アンテナ
６…体外装置
１２…格納容器
１３…放出手段
１５…タイマ
１６…電池
１９…放出装置
２４…カム
５１…反応部
５２…反応検出部
５４…セル内アンテナ
５７…反応槽
５９…試薬容器
６１…マイクロポンプ
６７、１２０…照明素子
６８、１２１…受光素子
７２…蓄電池
９１…弾性試薬容器
９２…マイクロアクチュエータ
１１２…フィルム
１１４…ＲＦ−ＩＤ
１１５…コンデンサ
１１７…試薬層
１２３…小型アンテナ
１３１…撮像手段
【図１】
2005270461.tif 000003
【図２】
2005270461.tif 000004
【図３】
2005270461.tif 000005
【図４】
2005270461.tif 000006
【図５】
2005270461.tif 000007
【図６】
2005270461.tif 000008
【図７】
2005270461.tif 000009
【図８】
2005270461.tif 000010
【図９】
2005270461.tif 000011
【図１０】
2005270461.tif 000012
【図１１】
2005270461.tif 000013
【図１２】
2005270461.tif 000014